(57)【要約】【課題】複数の閉塞片からなるブッシングにおいて、配線材や配管材を挿通し各閉塞片の間を切り割った状態において、閉塞片がいわゆる腰がなくびらつくのを防止する。【解決手段】電力量計ボックスの底壁面の板状部の端縁に隣接して形成され環状の一側が開放した通孔に取着される取着部１０と、通孔の内面側を基端２１とし内面に沿って複数が並ぶようにして通孔内に張り出す可撓性を有する閉塞片２０と、を有し、複数の閉塞片２０のうち、通孔の開放した箇所に位置する閉塞片２０ａには、通孔により途切れた端縁を繋ぐように、自身の閉塞片２０ａにおける別の個所及び他の閉塞片２０よりも肉厚の端縁側肉厚部２３を設けた。【選択図】図１
2018182986.tif 000002
【特許請求の範囲】
【請求項１】
板状部の端縁に隣接して形成され環状の一側が開放する通孔に取着される取着部と、
前記通孔の内面側を基端として該内面に沿って複数が並ぶようにして該通孔内に張り出す可撓性を有する閉塞片と、を有し、
前記複数の閉塞片のうち、前記通孔の開放した箇所に位置する閉塞片には、前記通孔により途切れた前記端縁を繋ぐように、自身の前記閉塞片における別の個所及び他の前記閉塞片よりも肉厚の肉厚部が設けられていることを特徴とするブッシング。
【請求項２】
前記複数の閉塞片は、互いに隣合う該閉塞片とは、切り割り可能な連設部により連設されていることを特徴とする請求項１に記載のブッシング。
【請求項３】
前記肉厚部には、前記連設部を切り割って形成される複数のスリットのうちの一つに連続するようにして、該肉厚部より薄肉で分断可能な溝部が設けられていることを特徴とする請求項２に記載のブッシング。
【請求項４】
前記肉厚部に設けられた溝部は、前記連設部より肉厚であることを特徴とする請求項３に記載のブッシング。
【請求項５】
前記複数の閉塞片は、隣合う該閉塞片との境界が、前記全閉塞片の中心部から放射状に延びて形成されていることを特徴とする請求項１乃至請求４のいずれかに記載のブッシング。
【請求項６】
板状部に形成された通孔に取着される取着部と、
前記通孔の内面側を基端として該内面に沿って複数が並ぶようにして該通孔内に張り出す可撓性を有する閉塞片と、を有し、
前記各閉塞片は、前記基端から張り出し方向の途中までの箇所に、前記閉塞片における前記途中箇所から先端までの部分より肉厚である肉厚部が設けられていることを特徴とするブッシング。
【請求項７】
前記各閉塞片の肉厚部は、隣合う閉塞片とは、該肉厚部より薄肉で切り割り可能な基端側連設部により連設されていることを特徴とする請求項６に記載のブッシング。
【請求項８】
前記各閉塞片は、前記張り出し方向の途中箇所から先端までの部分は、互いに隣合う前記閉塞片とは、切り割り可能な先端側連設部により連設され、該先端側連設部は、前記基端側連設部より薄肉であることを特徴とする請求項７に記載のブッシング。
【請求項９】
板状部に形成された通孔に取着される取着部と、
前記通孔の内面側を基端として該内面に沿って複数が並ぶようにして該通孔内に張り出す可撓性を有する閉塞片と、を有し、
前記各閉塞片は、互いに隣合う該閉塞片とは、該閉塞片より薄肉の切り割り可能な連設部により連設されており、
前記連設部は、前記基端とは反対側の先端から離間した箇所に、該離間箇所から先端までの部分よりも肉厚である肉厚部が設けられていることを特徴とするブッシング。
【発明の詳細な説明】
【技術分野】
【０００１】
本発明は、配線ボックス、電力量計ボックス等の壁面の板状部に形成された通孔に取着されるブッシングに関するものである。
【背景技術】
【０００２】
電力ケーブル、通信ケーブル等の配線材を配線するときや、ケーブル保護管、吸排気ダクト等の配管材を配管するときに、配線ボックス、電力量計ボックス等の配線器具、配管器具が用いられており、これらの配線器具、配管器具の壁面の板状部には、導入される配管材の管径やダクト形状等に合致した通孔が形成され、この通孔に各種配線材、配管材が挿通され接続されている。通孔は、例えば特許文献１、特許文献２に記載のように、通常は着脱自在な閉塞板で閉塞され、使用時に閉塞板が取り外されて、内部に配線材、配管材が挿通されるものがある。また、通孔は、特許文献３に記載のように、板状部にＵ字状に切欠された切欠きとケーブルとの隙間を閉塞し、消火活動時の放水により前記隙間から水が電線分岐箱内に侵入するのを防止するものがある。
【０００３】
更に、配線ボックスの壁面の板状部に形成された通孔に挿通されるケーブルの保護層が通孔の周縁部で傷付くのを防止したり、通孔とケーブル等との隙間内に塵埃、虫類が侵入するのを防止するために、図１３に示すように、通孔にブッシング６０が取り付けられるものがある。図１３のブッシング６０は、ゴムや軟質樹脂等の軟質材からなり薄肉の連設部３０によって区画された複数の閉塞片２０で形成され、板状部に形成されたＵ字状の切欠からなる通孔に取り付けられる。このブッシング６０は通常は通孔を閉塞するが、使用時には中央部分が突き破られあるいは開放側の閉塞片２０ａ，２０ａ間の連設部３０が切り割られてケーブル等を挿通できるようになっている。
【０００４】
このブッシング６０を用いれば、特許文献１、２に記載のような閉塞板を通孔から取り外すことなく、また、特許文献３の係合子などの部材を取り付けることなく、ブッシング６０を通孔に取り付けたままの状態でケーブル等を挿通することができ、導入されるケーブルの本数やケーブルあるいは電線管等の径に対応しながら通孔とケーブル等との隙間を閉塞し、これにより、ケーブルの保護層等が通孔の周縁部で傷付くのを防止できるとともに、通孔とケーブル等との隙間から塵埃や虫類が侵入するのを防止することができる。
【先行技術文献】
【特許文献】
【０００５】
【特許文献１】特開２０１４−１８３５９７号公報
【特許文献２】特開２００１−２７５２２８号公報
【特許文献３】実開昭５８−１１２０１４号公報
【発明の概要】
【発明が解決しようとする課題】
【０００６】
しかし、図１３に示したブッシング６０は、ゴムや軟質樹脂等の軟質材からなる複数の閉塞片２０で形成されている。このため、ブッシング６０が、環状の一側が開放した通孔に取り付けられた状態において、開放側の閉塞片２０ａ，２０ａ間の連設部３０を切り割ってケーブルをブッシング６０の中心部に向けてスライド移動させて挿通したとき、通孔の前記開放した箇所に位置する閉塞片２０ａは、剛性に乏しくいわゆる腰がないことから、通孔の開放側に位置する端部などがふわふわとびらついたりして見栄えが良くない。また、通孔の開放側に位置する一対の閉塞片２０ａ，２０ａはケーブルを挟持し保持する力が弱いため、例えば、通孔が縦壁からなる板状部に形成されている場合は、ケーブルの荷重や外力によってケーブルが、開放側に位置する一対の閉塞片２０ａ，２０ａの間の連設部３０に沿って徐々に移動し垂れ下がってくるなどの不具合を生じた。
【０００７】
そこで、本発明は、複数の閉塞片からなるものであって、配線材や配管材を挿通し閉塞片の間を切り割った状態において、各閉塞片がいわゆる腰がなくびらつくのを防止できるブッシングの提供を課題とするものである。
【課題を解決するための手段】
【０００８】
請求項１のブッシングは、
板状部の端縁に隣接して形成され環状の一側が開放する通孔に取着される取着部と、
前記通孔の内面側を基端とし該内面に沿って複数が並ぶようにして該通孔内に張り出す可撓性を有する閉塞片と、を有し、
前記複数の閉塞片のうち、前記通孔の開放した箇所に位置する閉塞片には、前記通孔により途切れた前記端縁を繋ぐように、自身の前記閉塞片における別の個所及び他の前記閉塞片よりも肉厚の肉厚部が設けられたものである。
ここで、板状部の端縁に隣接して形成され環状の一側が開放した通孔は、Ｕ字状等に切欠された切欠孔である。
【０００９】
これにより、通孔の開放した箇所に位置する閉塞片がいわゆる腰がなくびらつくのを防止できる。その結果、閉塞片がびらついて見栄えが低下するのを防止できる。また、ブッシングに挿通されたケーブルの保持力を高めることができ、例えば、通孔が縦壁からなる板状部に形成されている場合は、ケーブルの荷重や外力によってケーブルが、開放側に位置する一対の閉塞片の間の連設部に沿って徐々に移動し垂れ下がってくるのを防止できる。
【００１０】
なお、「複数の閉塞片のうち、通孔の開放した箇所に位置する閉塞片は、肉厚部が設けられている」構成は、別言すれば、「開放する箇所に隣接した閉塞片には、該閉塞片の前記開放側の端縁に沿って肉厚部が設けられている」と表記することもでき、更に別言すれば、「開放した箇所に位置する閉塞片は、通孔の開放側の端縁が、他の箇所及び他の閉塞片に比して変形しにくくなるように、肉厚に形成されている」と表記することもできる。
【００１１】
請求項１のブッシングは、複数の閉塞片が、互いに隣合う該閉塞片とは、切り割り可能な連設部により連設されたものとすることもできる。
これによれば、互いに隣合う閉塞片は、切り割り可能な連設部により連設されているから、連設部を切り割るまでは、通孔を完全に閉塞して塵埃等の侵入を防止できるとともに、複数の閉塞片全体の強度、剛性を保持することができる。
【００１２】
また、請求項１のブッシングは、肉厚部に、前記連設部を切り割って形成される複数のスリットのうちの一つに連続するようにして、該肉厚部より薄肉で分断可能な溝部が設けられたものとすることもできる。
これによれば、通孔の開放した箇所に位置する閉塞片の肉厚部の溝部と、連設部を切り割って形成される複数のスリットのうちの一つと、が連通し、通孔の開放側から配線材、配管材をブッシングの内部に挿入することができるので、配線材、配管材を布設路の途中から通孔のブッシング内に挿入することができる。
【００１３】
更に、請求項１のブッシングは、肉厚部に設けられた溝部が、連設部より肉厚とすることもできる。
これによれば、肉厚部の溝部は、各閉塞片間の連設部より肉厚であるから、配線材、配管材を途中からブッシング内に挿通した後、通孔の開放した箇所に位置する閉塞片がいわゆる腰がなくびらつくのを防止することができる他、配線材等を先端側から突き刺してブッシング内に挿入した場合には、連設部が所定位置を超えて更に自然に切り割られていくのを肉厚部によって抑えることができる。
そして、請求項１のブッシングは、複数の閉塞片は、隣合う該閉塞片との境界が、前記全閉塞片の中心部から放射状に延びて形成されたものとすることもできる。
【００１４】
請求項６のブッシングは、
板状部に形成された通孔に取着される取着部と、
前記通孔の内面側を基端とし該内面に沿って複数が並ぶようにして該通孔内に張り出す可撓性を有する閉塞片と、を有し、
前記各閉塞片は、前記基端から張り出し方向の途中までの間に、該途中箇所から前記閉塞片の先端までの部分よりも肉厚である肉厚部が設けられたものである。
ここで、「基端」とは、閉塞片における通孔の内面側を意味し、「閉塞片の先端」とは、閉塞片において前記「基端」とは反対側である、ブッシングの中心部側の部分を意味する。
【００１５】
これにより、閉塞片における基端から張り出し方向の途中箇所までの間は、剛性があり撓んでも復元力があるので、閉塞片がいわゆる腰がなくびらつくのを抑えることができる。
【００１６】
また、請求項６のブッシングは、各閉塞片の肉厚部は、隣合う閉塞片とは、該肉厚部よりも薄肉で切り割り可能な基端側連設部により連設されたものとすることもできる。
これによれば、閉塞片の肉厚部が隣合う閉塞片とは基端側連設部により連設されている分、各閉塞片は剛性が大きくなりびらつきをより抑えることができる。
【００１７】
更に、請求項６のブッシングは、各閉塞片は、前記張り出し方向の途中箇所から先端までの部分は、互いに隣合う前記閉塞片とは、切り割り可能な先端側連設部により連設され、該先端側連設部は、前記基端側連設部より薄肉とすることもできる。
【００１８】
請求項９のブッシングは、
板状部に形成された通孔に取着される取着部と、
前記通孔の内面側を基端とし該内面に沿って複数が並ぶようにして該通孔内に張り出す可撓性を有する閉塞片と、を有し、
前記各閉塞片は、互いに隣合う該閉塞片とは、該閉塞片より薄肉の切り割り可能な連設部により連設されており、
前記連設部は、前記基端とは反対側の先端から離間した箇所に、該離間箇所から先端までの部分よりも肉厚である肉厚部が形成されたものである。
【００１９】
これにより、連設部は、その先端から離間した箇所に形成された肉厚部により該離間箇所からは切り割り難くなっているから、意図することなく連設部の途中箇所を超えて更に切り割われるのを抑えることができ、ひいては、閉塞片の剛性が低下しびらつくのを抑えることができる。
【発明の効果】
【００２０】
本発明は、ブッシングの所定箇所に肉厚部が設けられているから、配線材や配管材を挿通し各閉塞片の間を切り割った状態において、閉塞片がいわゆる腰がなくびらつくのを防止することができる。
【図面の簡単な説明】
【００２１】
【図１】本発明の第一実施形態のブッシングを示す斜視図である。
【図２】図１のブッシングを示し、(a)は平面図、(b)は正面図、(c)は右側面図、(d)は背面図、(e)は(b)のＡ−Ａ切断線による断面図である。
【図３】図１のブッシングが取り付けられる電力量計ボックスを示す斜視図である。
【図４】図１のブッシングを図３の電力量計ボックスの通孔に取り付けた状態を示す断面図である。
【図５】(a)は図１のブッシングにケーブルを挿通する状態を示す斜視図、(b)は挿通後の状態を示す断面図である。
【図６】(a)は図１のブッシングにケーブルを先端側から挿通する状態を示す斜視図、(b)は挿通後の状態を示す断面図である。
【図７】本発明の第二実施形態のブッシングを示し、(a)は斜視図、(b)は(a)の閉塞片の拡大斜視図、(c)は正面図、(d)は(c)のＣ−Ｃ切断線による断面図である。
【図８】本発明の第二実施形態の別のブッシングを示し、(a)は斜視図、(b)は(a)の閉塞片の拡大斜視図、(c)は正面図、(d)は(c)のＤ−Ｄ切断線による断面図である。
【図９】本発明の第三実施形態のブッシングを示し、(a)は斜視図、(b)は(a)の閉塞片の拡大斜視図、(c)は正面図、(d)は(c)のＥ−Ｅ切断線による断面図である。
【図１０】本発明の第三実施形態の別のブッシングを示す斜視図である。
【図１１】本発明の第三実施形態の更に別のブッシングを示す斜視図である。
【図１２】本発明の第三実施形態の更に別のブッシングを示す斜視図である。
【図１３】従来のブッシングを示す斜視図である。
【発明を実施するための形態】
【００２２】
〈第一実施形態〉
まず、本発明の第一実施形態のブッシングを図１乃至図６に基づいて説明する。
本発明のブッシングは、配線ボックス、電力量計ボックス等の壁面の板状部に形成された通孔に取着されるものである。本実施形態では、電力量計ボックスの底壁面に形成された略Ｕ字状、馬蹄形の通孔に取り付けられるものを説明する。また、通孔に挿通される配線材、配管材として、ケーブルを例示する。
【００２３】
図３において、電力量計ボックス４０の底壁面４１の板状部４２には、その端縁４３に隣接して通孔４４が形成されており、通孔４４は端縁４３をＵ字状に切り欠いて環状の一側が開放した形状に形成されている。図１及び図２において、ブッシング１は、通孔４４に取着される取着部１０と、通孔４４の内面４５側を基端２１とし内面４５に沿って複数、本実施形態では６枚が並ぶようにして通孔４４内に張り出す可撓性を有する閉塞片２０と、を有している。そして、複数の閉塞片２０のうち、通孔４４の開放した箇所に位置する閉塞片２０ａは、板状部４２において通孔４４により途切れた端縁４３を繋ぐように、自身の閉塞片２０ａにおける他の個所及び他の閉塞片２０よりも肉厚の、請求項の肉厚部としての端縁側肉厚部２３が設けられている。
【００２４】
更に詳細には、取着部１０は、通孔４４の形状に対応して所定厚さのＵ字板状に形成され、外周側面１１にはこれに沿って断面略コ字状の凹溝１２が形成されており、６枚の閉塞片２０をＵ字状に囲っている。凹溝１２は、電力量計ボックス４０の板状部４２の端縁４３の板厚より僅かに小さい溝幅に形成され、取着部１０は、凹溝１２が通孔４４の内面４５に沿って板状部４２に外嵌されこれを上下で挟圧して通孔４４に取り付けられるようになっている。ブッシング１は、ゴム、軟質樹脂等により、取着部１０と閉塞片２０とは一体に形成されている。
【００２５】
閉塞片２０は、薄肉に形成されて可撓性を有し、通孔４４の開放した箇所に位置する閉塞片２０ａを除いて扇板状に形成され、通孔４４の内面４５側を基端２１として通孔４４内に張り出している。各閉塞片２０の隣合う閉塞片２０との境界は、全閉塞片２０の中心部Ｏから放射状に延び、基端２１とは反対側である先端２２側の二辺は６０度の角度で交差してブッシング１の中心部Ｏに集束し、通孔４４を閉塞するようになっている。各閉塞片２０は、互いに隣合う閉塞片２０とは、切り割り可能な連設部３０により連設されており、連設部３０で切り割ったときは、基端２１を軸に独立して閉塞片２０の平面と直交する方向に撓む。連設部３０は、各閉塞片２０の間を断面Ｖ字状の溝に切欠することにより薄肉に形成されている。
【００２６】
更に、複数の閉塞片２０のうち通孔４４の開放した箇所に位置する閉塞片２０ａに設けられた端縁側肉厚部２３には、連設部３０を切り割って形成される複数のスリットのうちの一つである、一対の閉塞片２０ａ，２０ａ間のスリットに連続するようにして、この端縁側肉厚部２３よりも薄肉で分断可能な溝部２４が設けられている。溝部２４は、具体的には、端縁側肉厚部２３の長さ方向の中間位置で断面Ｖ字状に切欠することにより形成され、連設部３０よりは肉厚に形成されている。これにより、端縁側肉厚部２３の溝部２４を分断すれば、連設部３０を切り割った一つのスリットとが連通し、通孔４４の開放側からケーブル５０をブッシング１の内部に挿入することができ、ケーブル５０を布設路の途中から通孔４４内に挿入し、結線等を行なうことができる。
【００２７】
このように構成されたブッシング１は、図１に表れている面が電力量計ボックス４０の内部側を向くようにして、図３に示すように、電力量計ボックス４０の底壁面４１の通孔４４に対して、通孔４４の開放側からスライド移動させて取着部１０の凹溝１２を通孔４４の内面４５に沿って板状部４２に外嵌させるだけで通孔４４に取り付けることができる。ブッシング１を取り付けた後の状態を図４に示す。ここで、図４のブッシング１は図２(b)のＢ−Ｂ切断線による断面を示す。なお、取り付け後は、図２(c)に表されている面が電力量計ボックス４０の外側から見える外観面となる。
【００２８】
ブッシング１を取り付けた後、ケーブル５０を途中から電力量計ボックス４０の通孔４４内に挿通するときは、図５(a)に示すように、端縁側肉厚部２３の溝部２４を分断し、一対の閉塞片２０ａ，２０ａ間の連設部３０を切り割って、形成された溝部２４のスリットと連設部３０のスリットとを連通状態とした後、ケーブル５０を端縁側肉厚部２３側からブッシング１の内部に押し込めばよい。ケーブル５０を挿入後、閉塞片２０は、図５(b)に示すように、先端２２側がケーブル５０に押圧されて基端２１を軸に撓んでケーブル５０の外面に密接し、ケーブル５０と閉塞片２０との間は封止される。これにより、ケーブル５０は保護層が通孔４４の周縁部で傷付くのが防止され、通孔４４とケーブル５０との隙間内に塵埃、虫類が侵入するのが防止される。なお、図５(b)において、閉塞片２０は左方向に撓んでいるが、右側に撓むこともある。
【００２９】
一方、ケーブル５０の先端を閉塞片２０の平面と直交する方向から近接させて電力量計ボックス４０の通孔４４内に挿通するには、図６(a)に示すように、ブッシング１の中心部Ｏから閉塞片２０を突き破りながら挿入すればよい。ケーブル５０を挿入後、閉塞片２０は、図６(b)に示すように、先端２２側がケーブル５０に押圧されて基端２１を軸に左側に撓んでケーブル５０の外面に密接し、ケーブル５０と閉塞片２０との間は封止される。これにより、図５の挿通の場合と同じく、ケーブル５０の保護層が傷付くのが防止され、塵埃、虫類が侵入するのが防止される他、通孔４４の開放した箇所に位置する閉塞片２０ａに端縁側肉厚部２３が設けられていることにより、全ての閉塞片２０の周囲全体が環状に厚く強度の大きいものとなっているから、ケーブル５０を挿通するときに閉塞片２０を突き破り易い。
【００３０】
次に上記ブッシング１の作用を説明する。
ブッシング１の複数の閉塞片２０のうち、通孔４４の開放した箇所に位置する閉塞片２０ａは、板状部４２において通孔４４により途切れた端縁４３を繋ぐように端縁側肉厚部２３が設けられているから、この閉塞片２０ａは補強され剛性が大きくなって、閉塞片２０ａの端縁側肉厚部２３及び連設部３０を切り割ってケーブル５０を途中から挿入した後でも、一対の閉塞片２０ａ，２０ａにおいて通孔４４の開放側の箇所に位置する端部がいわゆる腰がなくふわふわとびらついたりするのを防止することができる。
【００３１】
また、閉塞片２０の端縁側肉厚部２３及び連設部３０を切り割らずケーブル５０を先端側からブッシング１に挿通したときでも、複数の閉塞片２０は全体として外周側全体が環状に厚く補強された状態にあるから、同様に通孔４４の開放した箇所に位置する閉塞片２０ａがびらつくのを防止することができる他、ケーブル５０を挿通する際に連設部３０のみでなく端縁側肉厚部２３まで分断されてしまうのを回避し得る。
【００３２】
〈第二実施形態〉
次に、本発明の第二実施形態のブッシングを図７及び図８に基づいて説明する。
第二実施形態のブッシングが取り付けられる板状部４２の通孔４４は、板状部４２の端縁４３に隣接して形成され環状の一側が開放したものではなく、板状部４２の端縁４３から離間して独立して設けられたものであり、円形状に形成されている。
【００３３】
図７に示すブッシング２Ａは、全体が略円盤状に形成され、板状部４２に形成された通孔４４に取着される取着部１０と、通孔４４の内面４５側を基端２１とし内面４５に沿って複数、第二実施形態では６枚が並ぶようにして通孔４４内に張り出した可撓性を有する閉塞片２０と、を有して成り、ゴム、軟質樹脂等により一体に形成されている。
【００３４】
取着部１０は、所定厚さの円環板状に形成され、外周側面１１には断面略コ字状の凹溝１２が形成されており、６枚の閉塞片２０の外周部全体を囲っている。凹溝１２は、第一実施形態の取着部１０と同様に、電力量計ボックス４０の板状部４２の板厚より僅かに小さい幅に形成され、取着部１０は凹溝１２が通孔４４の内面４５に沿って通孔４４の周縁の板状部４２に外嵌され取り付けられるようになっている。
【００３５】
６枚の閉塞片２０は、全て同大で、扇状の同形状に形成され、隣合う閉塞片２０との境界は全閉塞片２０の中心部Ｏから放射状に延びている。各閉塞片２０は、取着部１０の内面４５を基端２１とし、この基端２１とブッシング２Ａの中心部Ｏに向けた張り出し方向の途中までの間に、その途中箇所２５から閉塞片２０の先端２２までの部分よりも肉厚である、請求項の肉厚部としての閉塞片肉厚部２６が設けられている。閉塞片２０の一部である閉塞片肉厚部２６は、その全面に至って一定厚に形成され、隣合う閉塞片肉厚部２６とは、閉塞片肉厚部２６よりも薄肉で切り割り可能な基端側連設部３１により連設されている。基端側連設部３１は、各閉塞片肉厚部２６の間を断面Ｖ字状の溝に切欠することにより薄肉に形成されている。
【００３６】
更に、各閉塞片２０は、張り出し方向の途中箇所２５から先端２２までの部分は、互いに隣合う閉塞片２０とは、切り割り可能な先端側連設部３２により連設されている。先端側連設部３２は、基端側連設部３１の延長線上にあり、各閉塞片２０の間を断面Ｖ字状の溝に切欠することにより切り割り可能となっており、基端側連設部３１よりも薄肉に形成されている。
【００３７】
このように構成された第二実施形態のブッシング２Ａは、閉塞片２０の基端２１から張り出し方向の途中箇所２５までの間に、閉塞片肉厚部２６が設けられており、閉塞片２０の基端２１から張り出し方向の途中箇所２５までの間は、閉塞片肉厚部２６によって補強され、撓んでも復元力があるので、全体として剛性は大きく、閉塞片２０がいわゆる腰がなくふわふわとびらつくのを抑えることができる。
また、閉塞片肉厚部２６が隣合う閉塞片肉厚部２６とは基端側連設部３１により連設されている分、各閉塞片２０の剛性はより大きくびらつきを更に抑えることができる。
更に、このブッシング２Ａにケーブル５０を挿通するときは、第一実施形態の図６に示したものと同様に、ブッシング２Ａの中心部Ｏにおいて閉塞片２０の平面と直交する方向からケーブル５０の先端で閉塞片２０を突き破ることになるが、このとき、第一実施形態のブッシング１と同様に、全ての閉塞片２０の周囲全体が閉塞片肉厚部２６により環状に厚く強度の大きいものになっているから、ケーブル５０を挿通するときに閉塞片２０を突き破り易い。
【００３８】
ところで、図７に示すブッシング２Ａは、各閉塞片２０における張り出し方向の途中箇所２５から先端２２までの部分は、隣合う閉塞片２０とは、先端側連設部３２により連設されているが、これに限定されるものではなく、図８に示すブッシング２Ｂのように、各閉塞片２０における張り出し方向の途中箇所２５から先端２２までの部分の、隣合う閉塞片２０との間は、先端側連設部３２により連設されておらず、打ち抜きの貫通した状態に分断したものとしてもよい。但し、閉塞片２０のいわゆる腰の強さの点からは図７に示すブッシング２Ａが望ましい。
【００３９】
〈第三実施形態〉
次に、本発明の第三実施形態のブッシングを図９乃至図１２に基づいて説明する。
図９に示すブッシング３Ａは、第二実施形態のブッシングと同様に、全体が略円盤状に形成され、第二実施形態の板状部４２に形成されたものと同様の円形状の通孔４４に取着される。このブッシング３Ａは、第二実施形態のものと同様の形状の取着部１０と、通孔４４の内面４５側を基端２１とし内面４５に沿って複数、第三実施形態では６枚が並ぶようにして該通孔４４内に張り出す可撓性を有する閉塞片２０と、を有して成り、ゴム、軟質樹脂等により一体に形成されている。
【００４０】
更に、各閉塞片２０は、互いに隣合う閉塞片２０とは、閉塞片２０より薄肉の切り割り可能な、断面Ｖ字状の溝の切欠により形成された連設部３０により連設されており、その連設部３０は、その先端２２から離間した箇所３３に、連設部３０における前記離間箇所３３から先端２２までの部分よりも肉厚である、請求項の肉厚部としての連設部肉厚部３４が設けられている。
【００４１】
閉塞片２０及び連設部３０において、各閉塞片２０の先端２２側である全閉塞片２０の中心部Ｏから所定距離離間した箇所には、一定高さの突片３５が中心部Ｏを中心とするリング状に突設されている。突片３５の高さは閉塞片２０の外面より僅かに大きく形成されている。このリング状の突片３５により、連設部３０における先端２２から離間した箇所３３に前記連設部肉厚部３４が形成されている。すなわち、連設部３０について言えば、その溝内に三角形状の突片３５が立設されたことにより、一部箇所がスポット的に肉厚となっている。
【００４２】
このように形成された第三実施形態のブッシング３Ａは、連設部３０が、その先端２２から離間した箇所３３に形成された連設部肉厚部３４によって前記離間箇所３３からは切り割り難くなっているから、連設部３０の先端側が切り割られていった後、更に、意図することなく連設部３０の前記離間箇所３３を超えて取着部１０側に向かって切り割われるのを抑えることができ、ひいては、離間箇所３３以降まで切り割われることによって閉塞片２０の剛性が低下し、ふわふわとびらつくのを抑えることができる。
【００４３】
なお、リング状の突片３５は、閉塞片２０にも立設されているが、この部分での立設は省いて連設部３０のみに立設してもよい。但し、突片３５を閉塞片２０にも立設すれば、閉塞片２０の強度、剛性も向上する。
【００４４】
ところで、図９に示すブッシング３Ａは、全体が略円盤状に形成され、板状部４２の円形状の通孔４４に取り付けられるものであるが、第三実施形態のブッシングは、第一実施形態と同様に、取着部１０がＵ字板状に形成され、略Ｕ字状の通孔４４に取り付けられるものにも適用することができる。
【００４５】
図１０に示すブッシング３Ｂは、第一実施形態のブッシング１の連設部３０及び閉塞片２０に、図９に示すブッシング３Ａと同様の突片３５がリング状に配置されて立設されている。したがって、このブッシング３Ｂは、第一実施形態のブッシング１と同様に作用するとともに、連設部３０における先端２２から離間した箇所３３を超えて更に取着部１０側に向かって切り割われるのを抑えることができ、ひいては、離間した箇所３３以降まで切り割われることによって閉塞片２０の剛性が低下しびらつくのを抑えることができる。
【００４６】
なお、図１１に示すブッシング３Ｃのように、図１０に示すブッシング３Ｂの端縁側肉厚部２３がないものとすることもできる。この場合、図１０に示すブッシング３Ｂよりは一対の閉塞片２０ａ，２０ａの剛性は低下するものの、連設部３０における先端２２から離間した箇所３３を超えて更に取着部１０側に向かって切り割われるのを抑えることができ、ひいては、先端２２から離間した箇所３３以降まで切り割われることによって閉塞片２０の剛性が低下しびらつくのを抑えることができる。
【００４７】
また、図１２に示すブッシング３Ｄのように、図１３に示す従来のブッシング６０に対して、連設部３０において、全閉塞片２０の中心部Ｏから所定距離離間した箇所３３に、三角形状、楔形状等の突片３６がスポット的に突設されたものとすることもできる。
【００４８】
〈その他〉
ところで、上記各実施形態のブッシングは、取着部１０が略Ｕ字状あるいは円環板状に形成されているが、これらの形状に限られるものではない。
【００４９】
また、上記各実施形態の複数の閉塞片２０は、６枚からなり、各閉塞片２０の先端２２側の開き角度はいずれも６０度に形成されているが、これらに限定されるものではなく、４〜８枚の閉塞片２０などで構成してもよい。
【００５０】
更に、複数の閉塞片２０は、隣合う該閉塞片２０との境界が、前記全閉塞片２０の中心部Ｏから放射状に延びて形成されているが、放射状に延びたものでなくてもよい。
【００５１】
そして、上記各実施形態の連設部３０及び第一実施形態の肉厚部の溝部２４は、断面Ｖ字状の溝に切欠することにより薄肉に形成されているが、これと異なる断面Ｕ字状の溝等に切欠して形成してもよく、また、これらの溝をブッシングの表裏両面に形成してもよい。
【００５２】
上記第一、三実施形態において、複数の閉塞片２０は、互いに隣合う該閉塞片２０とは、切り割り可能な連設部３０により連設されているが、各閉塞片２０は、互いに連設されておらず、最初から分断されたものであってもよい。
【００５３】
上記第一実施形態において、通孔４４の開放した箇所に位置する閉塞片２０ａ，２０ａの端縁側肉厚部２３に設けられた溝部２４は、連設部３０より肉厚に形成されているが、必ずしもこれに限定されるものではない。
【００５４】
更に、上記第二実施形態のブッシングは、略円盤状に形成されているが、各閉塞片２０の基端２１から張り出し方向の途中箇所２５までの間に閉塞片肉厚部２６が設けられている構成は、図示しないが、取着部１０が略Ｕ字状に形成されたブッシングにも適用することができる。
また、各実施形態における扇板状の各閉塞片２０は、全て同大、同形状に形成されているが、互いに大きさ、形状が異なるものとしてもよい。
【００５５】
加えて、上記第三実施形態の閉塞片２０間に設けられた連設部３０は、先端２２から離間した箇所３３に、突片３５を、閉塞片２０を含めてリング状に配置して立設したり、連設部３０の溝内に三角形の突片３６を立設することにより、離間箇所３３から先端２２までの部分よりも肉厚である連設部肉厚部３４がスポット的に形成されているが、これに限定されるものではなく、連設部３０に設ける連設部肉厚部３４は、例えば、先端２２から離間した箇所３３から、連設部３０の長さ方向に沿って基端２１に向かうに従って段階的あるいは連続的に厚肉となるように形成してもよい。
【００５６】
なお、上記各実施形態のブッシングは、電力量計ボックス４０の底壁面４１の板状部４２に形成された通孔４４に取り付けられるものを例示しているが、本発明は、他の配線ボックス等の板状部４２に形成された通孔４４に取り付けられるものにも同様に適用することができる。
そして、板状部４２の通孔４４は、Ｕ字状、馬蹄形、円形に限られるものではない。
更に、上記実施形態では、板状部４２の通孔４４にケーブル５０が挿通されるものを例示したが、本発明は、他の通信線等の配線材や電線管等の配管材などが挿通される場合にも同様に適用することができる。
【符号の説明】
【００５７】
１、２Ａ、２Ｂ、３Ａ〜３Ｄ  ブッシング ３１  基端側連設部
１０  取着部                           ３２  先端側連設部
２０、２０ａ  閉塞片                   ３３  先端から離間した箇所
２１  基端                             ３４  連設部肉厚部
２２  先端                             ４２  板状部
２３  端縁側肉厚部                     ４３  端縁
２４  溝部                             ４４  通孔
２５  途中箇所                         ４５  内面
２６  閉塞片肉厚部                     Ｏ    全閉塞片の中心部
３０  連設部
【図１】
2018182986.tif 000003
【図２】
2018182986.tif 000004
【図３】
2018182986.tif 000005
【図４】
2018182986.tif 000006
【図５】
2018182986.tif 000007
【図６】
2018182986.tif 000008
【図７】
2018182986.tif 000009
【図８】
2018182986.tif 000010
【図９】
2018182986.tif 000011
【図１０】
2018182986.tif 000012
【図１１】
2018182986.tif 000013
【図１２】
2018182986.tif 000014
【図１３】
2018182986.tif 000015